(57)【要約】【課題】  ユーザがスイッチの配置位置を自由に変更する。【解決手段】  スイッチと、このスイッチにより開閉される機器または回路とを直接接続することなく、ヒューマン・マシン・インタフェースとしてのスイッチ管理装置を介して接続する。また、スイッチの配置位置を変更した後に、スイッチの役割および作動状況の表示をスイッチの配置位置変更に対応して自由に変更する。【選択図】  図１
2006033566.tif 000002
【特許請求の範囲】
【請求項１】
複数のスイッチを収容する手段と、
個々の前記スイッチの役割を記憶する手段と、
個々の前記スイッチの開閉状態を検出する手段と、
この検出する手段により検出された前記スイッチの開閉状態と前記記憶する手段に記憶されている役割とに応じて所定の出力先に対し、前記スイッチの開閉状態を伝達する手段と
を備えたスイッチ管理装置であって、
前記記憶する手段の記憶内容を要求に応じて更新する手段を備えた
ことを特徴とするスイッチ管理装置。
【請求項２】
前記更新する手段は、
前記要求に相当する操作入力が行われると更新モードに遷移し、その旨を表示すると共に更新モードにおける操作入力手順を表示する手段と、
前記スイッチの新たな役割を指定する操作入力にしたがって前記記憶する手段の記憶内容を更新する手段と
を備えた請求項１記載のスイッチ管理装置。
【請求項３】
前記表示する手段は、
前記要求に相当する操作入力に応じて更新モードに遷移したことを表示する手段と、
役割を表示してこの表示した役割に対応する前記スイッチを指定するための操作入力を促すメッセージを表示する手段と、
この操作入力を促すメッセージの表示に対応する操作入力に応じて前記表示した役割に対応する前記スイッチを確認したことを示すメッセージを表示する手段と、
全部の前記スイッチに対応する役割の更新の完了あるいは所定時間以上経過しても操作入力が行われない状況に応じて更新モードを終了することを示すメッセージを表示する手段と
を備えた請求項２記載のスイッチ管理装置。
【請求項４】
前記表示する手段は、音声によりメッセージを表示する手段を備えた請求項３記載のスイッチ管理装置。
【請求項５】
請求項１ないし４のいずれかに記載のスイッチ管理装置により管理される複数のスイッチが配置されるスイッチ・パネルであって、
前記複数のスイッチのそれぞれに対応し、そのスイッチの役割を視覚的に表示するための表示板を着脱自在に装着する手段を備えた意匠パネル・エリアと、そのスイッチの開閉状態を視覚的に表示する手段を備えた作動インジケータ・エリアとを備えた
ことを特徴とするスイッチ・パネル。
【請求項６】
前記表示板は、前記意匠パネル・エリアと共に、前記作動インジケータ・エリアを覆う形状を有し、前記スイッチの開閉状態を視覚的に表示する手段を透過する窓を備えた請求項５記載のスイッチ・パネル。
【発明の詳細な説明】
【技術分野】
【０００１】
本発明は、車両の運転席に備えられたスイッチ類の管理技術に関する。特に、乗用車と比較してスイッチを多数備えたバスまたはトラックに利用するに適する。
【背景技術】
【０００２】
車両には、多数のスイッチが備えられている。特に、バスやトラックなどのように、乗用車と比較して多数の機能を有する車両には、機能に対応して多数のスイッチが備えられている。例えば、トラックでは、乗用車が有していない機能として、ブレーキ・ロック、デフ・ロック、ＰＴＯ（パワー・テイク・オフ）、ＡＳＲ（アンチ・スリップ・レギュレータ）などがあり、最大２５個ほどのスイッチが運転席に備えられている。
【特許文献１】特開２０００−１００２７１号公報
【発明の開示】
【発明が解決しようとする課題】
【０００３】
車両に多数備えられているスイッチの配置位置は、固定的に定められている。その理由は、個々のスイッチは、それぞれスイッチ・ハーネスによって接続されており、スイッチ・ハーネスの位置を動かすことは困難であるからである。
【０００４】
これに対し、ユーザからは、頻繁に使うスイッチは決まっており、これらのスイッチを手元に近い位置に配置替えしたいという要望がある。
【０００５】
本発明は、このような背景に行われたものであって、ユーザがスイッチの配置位置を自由に変更することができるスイッチ管理装置およびスイッチ・パネルを提供することを目的とする。
【課題を解決するための手段】
【０００６】
本発明は、スイッチと、このスイッチにより開閉される機器または回路とを直接接続することなく、ヒューマン・マシン・インタフェースとしてのスイッチ管理装置を介して接続されることにより、スイッチの配置位置を自由に変更することができることを特徴とする。
【０００７】
また、スイッチの配置位置を変更した後に、スイッチの役割および作動状況の表示をスイッチの配置位置変更に対応して自由に変更することを特徴とする。
【０００８】
すなわち、本発明の第一の観点は、複数のスイッチを収容する手段と、個々の前記スイッチの役割を記憶する手段と、個々の前記スイッチの開閉状態を検出する手段と、この検出する手段により検出された前記スイッチの開閉状態と前記記憶する手段に記憶されている役割とに応じて所定の出力先に対し、前記スイッチの開閉状態を伝達する手段とを備えたスイッチ管理装置である。
【０００９】
ここで、本発明の特徴とするところは、前記記憶する手段の記憶内容を要求に応じて更新する手段を備えたところにある。
【００１０】
前記更新する手段は、前記要求に相当する操作入力が行われると更新モードに遷移し、その旨を表示すると共に更新モードにおける操作入力手順を表示する手段と、前記スイッチの新たな役割を指定する操作入力にしたがって前記記憶する手段の記憶内容を更新する手段とを備えることができる。
【００１１】
前記表示する手段は、前記要求に相当する操作入力に応じて更新モードに遷移したことを表示する手段と、役割を表示してこの表示した役割に対応する前記スイッチを指定するための操作入力を促すメッセージを表示する手段と、この操作入力を促すメッセージの表示に対応する操作入力に応じて前記表示した役割に対応する前記スイッチを確認したことを示すメッセージを表示する手段と、全部の前記スイッチに対応する役割の更新の完了あるいは所定時間以上経過しても操作入力が行われない状況に応じて更新モードを終了することを示すメッセージを表示する手段とを備えることができる。
【００１２】
このように、ユーザ（例えば運転者）が運転席でスイッチ配置位置の変更を行う場合を想定したときに、ユーザはマニュアルなどを読むことなく、装置の指示に従って操作を行うことにより、スイッチ位置を変更することができるため、ユーザに利便性を提供することができる。
【００１３】
このときに、前記表示する手段は、音声によりメッセージを表示する手段を備えることができる。これによれば、ユーザは、スイッチ操作を目視しながらメッセージを受け取ることができるため、ユーザに利便性を提供することができる。
【００１４】
本発明の第二の観点は、本発明のスイッチ管理装置により管理される複数のスイッチが配置されるスイッチ・パネルであって、前記複数のスイッチのそれぞれに対応し、そのスイッチの役割を視覚的に表示するための表示板を着脱自在に装着する手段を備えた意匠パネル・エリアと、そのスイッチの開閉状態を視覚的に表示する手段を備えた作動インジケータ・エリアとを備えたことを特徴とする。
【００１５】
これによれば、ユーザがスイッチ配置位置の変更を行った後に、その役割の表示を自由に変更することができる。
【００１６】
また、前記表示板は、前記意匠パネル・エリアと共に、前記作動インジケータ・エリアを覆う形状を有し、前記スイッチの開閉状態を視覚的に表示する手段を透過する窓を備えることができる。
【００１７】
これによれば、スイッチの開閉状態を視覚的に表示することが必要なスイッチに関してはこの窓を設けておき、スイッチの開閉状態を視覚的に表示する必要の無いスイッチに関してはこの窓を設けずにおくことができるため、スイッチの様々な用途に対応することができる。
【発明の効果】
【００１８】
本発明によれば、ユーザがスイッチの配置位置を自由に変更することができる。
【発明を実施するための最良の形態】
【００１９】
本発明実施例のスイッチ管理装置を図１を参照して説明する。図１は本実施例のスイッチ管理装置の全体構成図である。
【００２０】
本実施例は、図１に示すように、複数のスイッチ１−１〜１−ｎを収容する入力ポート４−１〜４−ｎと、個々のスイッチ１−１〜１−ｎの役割を記憶する役割記憶部３と、個々のスイッチ１−１〜１−ｎの開閉状態を検出するスイッチ管理部２とを備え、このスイッチ管理部２は、検出されたスイッチ１−１〜１−ｎの開閉状態と役割記憶部３に記憶されている役割とに応じて所定の出力ポート５−１〜５−ｎに接続された出力先♯１〜♯ｎに対し、スイッチ１−１〜１−ｎの開閉状態を伝達する手段を備えたスイッチ管理装置である。
【００２１】
ここで、本実施例の特徴とするところは、スイッチ管理部２は、役割記憶部３の記憶内容を要求に応じて更新する手段を備えたところにある。
【００２２】
次に、スイッチ管理部２の通常時における動作を図２を参照して説明する。図２はスイッチ管理部２の通常モードにおける動作を示すフローチャートである。スイッチ管理部２は、図２に示すように、入力ポート４−ｉ（ｉは１〜ｎのいずれかの整数）に接続されたスイッチ１−ｉの開閉状態を監視し（Ｓ１）、開状態から閉状態に状態が遷移したスイッチ１−ｉを検出すると（Ｓ２）、当該スイッチ１−ｉの役割を役割記憶部３から検索し（Ｓ３）、検索された役割に対応する所定の出力先にスイッチ１−ｉが開状態から閉状態に遷移した旨を伝達する（Ｓ４）。これにより、出力先では、スイッチ１−ｉの状態遷移に対応した処理を実行する。
【００２３】
なお、開状態から閉状態に遷移した旨を伝達する方法としては、出力先がＥＣＵ(Electric
Control Unit)である場合には、例えば、開状態はビット“０”とし、閉状態はビット“１”とするようなビット信号でよい。また、出力先が直接的に回路または機器に接続されているような場合には、スイッチ管理部２に接点を設けておき、スイッチ１−ｉの開閉に応じてこの接点を開閉させてもよい。
【００２４】
また、スイッチ管理部２に設けられた前記更新する手段は、前記要求に相当する操作入力が行われると更新モードに遷移し、その旨を表示すると共に更新モードにおける操作入力手順を表示部６に表示する手段と、スイッチ１−ｉの新たな役割を指定する操作入力にしたがって役割記憶部３の記憶内容を更新する手段とを備える。
【００２５】
前記表示する手段は、前記要求に相当する操作入力に応じて更新モードに遷移したことを表示する手段と、役割を表示してこの表示した役割に対応するスイッチ１−ｉを指定するための操作入力を促すメッセージを表示する手段と、この操作入力を促すメッセージの表示に対応する操作入力に応じて前記表示した役割に対応するスイッチ１−ｉを確認したことを示すメッセージを表示する手段と、全部のスイッチ１−１〜１−ｎに対応する役割の更新の完了あるいは所定時間以上経過しても操作入力が行われない状況に応じて更新モードを終了することを示すメッセージを表示する手段とを備える。
【００２６】
すなわち、図３はスイッチ管理部２の更新モードにおける処理手順を示すフローチャートであるが、図３に示すように、通常モードにおいて（Ｓ１０）、役割更新要求があれば（Ｓ１１）、更新モードに遷移する（Ｓ１２）。例えば、離れた二つのスイッチ（例えば、スイッチ１−１および１−ｎ）が同時に操作されたとき、これを役割更新要求と定義しておけばよい。
【００２７】
更新モードに遷移すると、最初に「スイッチの位置を変更します」というメッセージが表示部６によって表示される（Ｓ１３）。このとき表示部６は、液晶パネルなどの表示器であり、文字を用いてメッセージを表示してもよいし、あるいは、表示部６は、スピーカであり、音声を用いてメッセージを表示してもよい。
【００２８】
次に「（役割ｉ）のスイッチを入れてください」というメッセージが表示部６によって表示される（Ｓ１４）。例えば、「ブレーキ・ロックのスイッチを入れてください」、「デフ・ロックのスイッチを入れてください」と表示される。
【００２９】
これに対し、いずれかのスイッチ１−ｉの入力があれば（Ｓ１５）、「スイッチの位置を確認しました」というメッセージが表示される（Ｓ１６）、また、このときに、スイッチ管理部２は役割記憶部３の記憶内容を更新する。
【００３０】
記憶内容の更新が全スイッチについて完了していないときには（Ｓ１７）、次のスイッチ１−（ｉ＋１）についてステップＳ１４〜Ｓ１６を実行する（Ｓ１９）。このようにして、全スイッチについて記憶内容の更新が完了したときには（Ｓ１７）、「設定を完了します」というメッセージを表示する（Ｓ１８）。
【００３１】
また、「（役割ｉ）のスイッチを入れてください」というメッセージが表示された後に（Ｓ１４）、所定時間（ｔ秒間）経過した場合には（Ｓ２０）、「正常に設定できませんでした」というメッセージを表示し（Ｓ２１）、通常モードに復帰する。本実施例では、全てのスイッチについて設定変更が完了しなかった場合には、一部のスイッチの役割りが既に設定変更されている場合であっても、全てのスイッチが設定変更開始以前の状態に復帰する。このようにして、スイッチ配置位置を自由に変更することができる。
【００３２】
次に、本実施例のスイッチ・パネルについて図４ないし図８を参照して説明する。図４は本実施例のスイッチ・パネルの構成図である。図５は表示板の構成図である。本実施例のスイッチ・パネル１０は、図４に示すように、複数のスイッチ１のそれぞれに対応し、そのスイッチ１の役割を視覚的に表示するための表示板１７を着脱自在に装着する嵌合溝１６を備えた意匠パネル・エリア１１と、そのスイッチ１の開閉状態を視覚的に表示する作動インジケータ１５を備えた作動インジケータ・エリア１２とを備える。なお、意匠パネル・エリア１１には照明灯１４が設けられている。
【００３３】
また、図６は表示板１７の透過窓１９を示す図であるが、表示板１７は、意匠パネル・エリア１１と共に、作動インジケータ・エリア１２を覆う形状を有し、スイッチ１の開閉状態を視覚的に表示する作動インジケータ１５を透過する透過窓１９を備える。
【００３４】
このように、表示板１７は、意匠パネル・エリア１１および作動インジケータ・エリア１２に設けられた嵌合溝１６に対し、嵌合爪１８によって嵌合する。この嵌合溝１６と嵌合爪１８とにより表示板１７は意匠パネル・エリア１１および作動インジケータ・エリア１２に対して着脱自在である。
【００３５】
また、図６に示すように、表示板１７が表示する役割に応じて作動インジケータ１５の表示が必要な場合には、透過窓１９が表示板１７に設けられる。
【００３６】
図７および図８は表示板１７がスイッチの役割変更に伴って変更される例を示す図である。図７の役割表示例は右から順に「フォグ・ランプ」、「ＰＴＯ」、「ＡＳＲ解除」を表す。また、「ＰＴＯ」と「ＡＳＲ解除」にはそれぞれ作動インジケータ１５の透過窓１９が設けられている。図８の役割表示例では、「フォグ・ランプ」と「ＰＴＯ」の配置位置が入れ替わっていることがわかる。
【産業上の利用可能性】
【００３７】
本発明によれば、ユーザがスイッチの配置位置を自由に変更することができるので、ユーザに利便性を提供することができる。
【図面の簡単な説明】
【００３８】
【図１】本実施例のスイッチ管理装置の全体構成図。
【図２】本実施例のスイッチ管理装置の通常モードにおける動作を示すフローチャート。
【図３】本実施例のスイッチ管理装置の更新モードにおける動作を示すフローチャート。
【図４】本実施例のスイッチ・パネルの全体構成図。
【図５】本実施例の表示板を示す図。
【図６】本実施例の表示板における透過窓を示す図。
【図７】表示板がスイッチの役割変更に伴って変更される例を示す図。
【図８】表示板がスイッチの役割変更に伴って変更される例を示す図。
【符号の説明】
【００３９】
１、１−１〜１−ｎ  スイッチ
２  スイッチ管理部
３  役割記憶部
４−１〜４−ｎ  入力ポート
５−１〜５−ｎ  出力ポート
６  表示部
１０  スイッチ・パネル
１１  意匠パネル・エリア
１２  作動インジケータ・エリア
１３  スイッチ・エリア
１４  照明灯
１５  作動インジケータ
１６  嵌合溝
１７  表示板
１８  嵌合爪
１９  透過窓
【図１】
2006033566.tif 000003
【図２】
2006033566.tif 000004
【図３】
2006033566.tif 000005
【図４】
2006033566.tif 000006
【図５】
2006033566.tif 000007
【図６】
2006033566.tif 000008
【図７】
2006033566.tif 000009
【図８】
2006033566.tif 000010